(57)【要約】【課題】フィルタ下流側の部材の液体流路内の気泡の停滞を抑制することができる液体噴射ヘッド及び液体噴射装置を提供する。【解決手段】  フィルタ２７は水平方向に対して傾斜して設けられており、カートリッジケース２１のインク供給路２４のヘッド本体側の開口部であるインク供給口７０の周縁に、前記カートリッジケース２１に設けられ前記フィルタ２７の方向に突出し、前記インク供給口７０の周縁から前記フィルタ２７と前記カートリッジケース２１との接合部の前記フィルタ２７の傾斜方向最上部であるカートリッジケース最上部８０方向に設けられ、前記カートリッジケース最上部８０の近傍を通ってから前記インク供給口７０に向かう前記インク供給路２４の液体の流れが生じるようにするリブ７１を有する。【選択図】図６
2008246798.tif 000002
【特許請求の範囲】
【請求項１】
液体を貯留する液体貯留手段と、
前記液体貯留手段から供給された液体を吐出するノズルを有するヘッド本体と、
前記液体貯留手段と前記ヘッド本体とを繋ぐ液体流路の一部を構成する第１の液体流路を有する第１流路形成部材と、
前記第１の液体流路と連通して前記液体流路の一部を構成し径が前記第１流路形成部材側から漸減する第２の液体流路を有し前記第１流路形成部材と前記ヘッド本体との間に設けられた第２流路形成部材と、
前記第１の液体流路と前記第２の液体流路の間に設けられたフィルタとを具備する液体噴射ヘッドであって、
前記フィルタは水平方向に対して傾斜して設けられており、前記第２流路形成部材の前記第２の液体流路の前記ヘッド本体側の開口部であるインク供給口の周縁に、前記第２流路形成部材に設けられ前記フィルタの方向に突出し、前記インク供給口の周縁から前記フィルタと前記第２流路形成部材との接合部の前記フィルタの傾斜方向最上部である第２流路形成部材最上部方向に設けられ、前記第２流路形成部材最上部の近傍を通ってから前記インク供給口に向かう前記第２の液体流路の液体の流れが生じるようにするリブを有することを特徴とする液体噴射ヘッド。
【請求項２】
前記リブは前記フィルタに接触していないことを特徴する請求項１に記載の液体噴射ヘッド。
【請求項３】
前記リブが、前記インク供給口を囲むＵ字形状であり、該リブが前記第２流路形成部材最上部の方向に開口していることを特徴とする請求項１又は２に記載の液体噴射ヘッド。
【請求項４】
前記インク供給口が、前記フィルタと前記第２流路形成部材との接合部近傍にあり、前記リブは、前記インク供給口周縁から前記インク供給口が設けられた側とは反対側の前記フィルタと前記第２流路形成部材との接合部方向へ設けられていることを特徴とする請求項１又は２に記載の液体噴射ヘッド。
【請求項５】
前記インク供給口が、前記フィルタと前記第２流路形成部材との接合部の前記フィルタの傾斜方向最下部である第２流路形成部材最下部近傍にあり、前記リブは、前記インク供給口を挟み前記第２流路形成部材最下部近傍から前記第２流路形成部材最上部方向へ設けられていることを特徴とする請求項１又は２に記載の液体噴射ヘッド。
【請求項６】
前記第１流路形成部材が前記液体貯留手段に挿入される液体供給針であり、前記第２流路形成部材が前記液体貯留手段が保持される保持部材であることを特徴とする請求項１〜５の何れか一項に記載の液体噴射ヘッド。
【請求項７】
請求項１〜６の何れか一項に記載の液体噴射ヘッドを具備することを特徴とする液体噴射装置。
【発明の詳細な説明】
【技術分野】
【０００１】
本発明は、液体貯留手段からヘッド本体に供給される液体を液滴としてノズル開口から噴射する液体噴射ヘッド及び液体噴射装置に関し、特に、液滴としてインク滴を吐出するインクジェット式記録ヘッド及びインクジェット式記録装置に関する。
【背景技術】
【０００２】
液体噴射ヘッドの代表例であるインクジェット式記録ヘッドでは、一般的に、インクが充填されたインクカートリッジから、このインクカートリッジに挿入されるインク供給針及びインクカートリッジが保持される部材（保持部材）に形成されたインク流路を介してヘッド本体にインクが供給され、圧電素子等を駆動させることによりヘッド本体に供給されたインクがノズルから吐出される。
【０００３】
このようなインクジェット式記録ヘッドでは、インクカートリッジのインク内に存在する気泡、あるいはインクカートリッジを着脱する際にインク内に混入した気泡がヘッド本体に供給されてしまうと、この気泡によるドット抜け等の吐出不良が発生するという問題がある。このような問題を解決するために、インク供給針と、このインク供給針が固定されインク流路が形成された保持部材との間に、インク内の気泡や異物等を除去するためのフィルタを装着するようにしたものがある（例えば、特許文献１参照）。
【０００４】
しかしながら、フィルタが水平方向に対して傾斜した状態でインクジェット式記録ヘッドを使用すると、フィルタと保持部材との接合部のフィルタの傾斜方向最上部付近に浮力により浮上した気泡が溜まる。そしてこの接合部のフィルタの傾斜方向最上部付近はインクの流れが弱いため、気泡がこの領域に溜まってしまうという問題が生じる。特に、保持部材の液体流路のヘッド本体側の開口部（インク供給口）がフィルタと保持部材との接合部のフィルタの傾斜方向下側付近にある場合は、フィルタの下流側の部材である保持部材とフィルタとの接合部のフィルタの傾斜方向最上部付近のインクの流れが顕著に弱く、気泡が溜まりやすい。なお、インク供給口の位置を変更することによってこの気泡の停滞の問題を解決する方法も考えられるが、インクの色数の増加に伴ってインクジェット式記録ヘッド本体へと続く流路が複雑化しているため、インク供給口を任意の位置に設けることが難しい場合がある。また、フィルタの上流側であるインク供給針の形状等を変更することによってフィルタの下流側である保持部材の液体流路の気泡を停滞させないようにするという方法も考えられるが、インク供給針の形状等の変更により保持部材の液体流路の気泡の停滞を防止することはできなかった。そしてこのような問題は、インク滴を吐出するインクジェット式記録ヘッドだけでなく、他の液体噴射ヘッドにおいても同様に存在する。
【０００５】
【特許文献１】特開２０００−２１８８０９号公報（図１等）
【発明の開示】
【発明が解決しようとする課題】
【０００６】
本発明はこのような事情に鑑み、フィルタ下流側の部材の液体流路内の気泡の停滞を抑制することができる液体噴射ヘッド及び液体噴射装置を提供することを目的とする。
【課題を解決するための手段】
【０００７】
上記課題を解決する本発明の態様は、液体を貯留する液体貯留手段と、前記液体貯留手段から供給された液体を吐出するノズルを有するヘッド本体と、前記液体貯留手段と前記ヘッド本体とを繋ぐ液体流路の一部を構成する第１の液体流路を有する第１流路形成部材と、前記第１の液体流路と連通して前記液体流路の一部を構成し径が前記第１流路形成部材側から漸減する第２の液体流路を有し前記第１流路形成部材と前記ヘッド本体との間に設けられた第２流路形成部材と、前記第１の液体流路と前記第２の液体流路の間に設けられたフィルタとを具備する液体噴射ヘッドであって、前記フィルタは水平方向に対して傾斜して設けられており、前記第２流路形成部材の前記第２の液体流路の前記ヘッド本体側の開口部であるインク供給口の周縁に、前記第２流路形成部材に設けられ前記フィルタの方向に突出し、前記インク供給口の周縁から前記フィルタと前記第２流路形成部材との接合部の前記フィルタの傾斜方向最上部である第２流路形成部材最上部方向に設けられ、前記第２流路形成部材最上部の近傍を通ってから前記インク供給口に向かう前記第２の液体流路の液体の流れが生じるようにするリブを有することを特徴とする液体噴射ヘッドにある。
かかる態様では、所定のリブを設けることにより、気泡が溜まりやすい第２流路形成部材最上部の近傍を通ってからインク供給口に向かう液体の流れが生じるため、フィルタ下流側の部材の液体流路内の気泡の停滞を抑制することができる。
【０００８】
前記リブは前記フィルタに接触していないことが好ましい。これによれば、リブの接触によるフィルタの破損が防止できる。
【０００９】
また、前記リブが、前記インク供給口を囲むＵ字形状であり、該リブが前記第２流路形成部材最上部の方向に開口していることが好ましい。これによれば、直接インク供給口に流れ込まず、気泡が溜まりやすい第２流路形成部材最上部の近傍を通ってからインク供給口に向かう液体の流れが生じるため、第２流路形成部材最上部の気泡の停滞を確実に抑制することができる。
【００１０】
そして、前記インク供給口が、前記フィルタと前記第２流路形成部材との接合部近傍にあり、前記リブは、前記インク供給口周縁から前記インク供給口が設けられた側とは反対側の前記フィルタと前記第２流路形成部材との接合部方向へ設けられていてもよい。これによれば、インク供給口が、フィルタと第２流路形成部材との接合部に配置された場合に、インク供給口への液体の流れがフィルタと第２流路形成部材との接合部で制御されるので、直線状またはＬ字状等の単純な形状のリブを設けても、直接インク供給口に流れ込まず、気泡が溜まりやすい第２流路形成部材最上部の近傍を通ってからインク供給口に向かう液体の流れが生じるため、第２流路形成部材最上部の気泡の停滞を確実に抑制することができる。
【００１１】
さらに、前記インク供給口が、前記フィルタと前記第２流路形成部材との接合部の前記フィルタの傾斜方向最下部である第２流路形成部材最下部近傍にあり、前記リブは、前記インク供給口を挟み前記第２流路形成部材最下部近傍から前記第２流路形成部材最上部方向へ設けられていてもよい。これによれば、インク供給口を第２流路形成部材最下部近傍に設けた場合であっても、第２流路形成部材最上部の気泡の停滞を抑制できる。
【００１２】
また、前記第１流路形成部材が前記液体貯留手段に挿入される液体供給針であり、前記第２流路形成部材が前記液体貯留手段が保持される保持部材としてもよい。これによれば、フィルタの下流側の部材である保持部材の液体流路内の気泡の停滞を抑制できる。
【００１３】
さらに本発明の他の態様は、上記液体噴射ヘッドを具備することを特徴とする液体噴射装置にある。これによれば、液体流路内の気泡の停滞が抑制された液体噴射ヘッドを具備するので、ヘッドの信頼性を向上した液体噴射装置を実現することができる。
【発明を実施するための最良の形態】
【００１４】
以下に本発明を実施形態に基づいて説明する。
（実施形態１）
図１は、本発明の実施形態１に係る液体噴射装置の概略斜視図である。本実施形態の液体噴射装置であるインクジェット式記録装置１０は、図１に示すように、インク滴を吐出するインクジェット式記録ヘッド（以下、記録ヘッドと呼ぶ）１１が傾斜させてキャリッジ１２に固定され、この記録ヘッド１１には、ブラック（Ｂ）、シアン（Ｃ）、マゼンダ（Ｍ）、イエロー（Ｙ）等の複数の異なる色の顔料インクが貯留された液体貯留手段であるインクカートリッジ１３がそれぞれ着脱可能に固定されている。
【００１５】
記録ヘッド１１が搭載されたキャリッジ１２は、装置本体１４に取り付けられたキャリッジ軸１５に軸方向移動自在に設けられている。そして、駆動モータ１６の駆動力が図示しない複数の歯車およびタイミングベルト１７を介してキャリッジ１２に伝達されることで、キャリッジ１２はキャリッジ軸１５に沿って移動される。一方、装置本体１４にはキャリッジ軸１５に沿ってプラテン１８が設けられており、図示しない給紙装置等により給紙された紙等の被記録媒体Ｓがプラテン１８上を搬送されるようになっている。
【００１６】
また、キャリッジ１２のホームポジションに対応する位置、すなわち、キャリッジ軸１５の一方の端部近傍には、記録ヘッド１１のノズル形成面を封止するキャップ部材１９を有するキャッピング装置２０が設けられている。このキャップ部材１９によってノズル形成面を封止することにより、インクの乾燥を防止している。また、このキャップ部材１９は、フラッシング動作時のインク受けとしても機能する。
【００１７】
ここで、本実施形態に係る記録ヘッドについて説明する。なお、図２は、本実施形態に係る記録ヘッドの分解斜視図であり、図３はその断面図である。また、図４はインク供給針部分の拡大断面図である。
【００１８】
図２及び図３に示すように、記録ヘッド１１を構成する保持部材であるカートリッジケース２１（請求項に記載の「第２流路形成部材」に相当）は、上述したインクカートリッジ１３（請求項に記載の「液体貯留手段」に相当）がそれぞれ装着されるカートリッジ装着部２２を有する。また、カートリッジケース２１の底面には、一端が各カートリッジ装着部２２に開口し、他端が後述するヘッドケース側に開口する複数のインク供給路（請求項に記載の「第２の液体供給路」に相当）２４がそれぞれ形成された管状の流路形成部２５が突設されている。なお、インク供給路２４は、後述する貫通路２８側から内径が漸減している。
【００１９】
また、カートリッジケース２１の上面側、すなわち、各カートリッジ装着部２２のインク供給路２４の開口部分には、インクカートリッジ１３に挿入される複数のインク供給針（請求項に記載の「第１流路形成部材」に相当）２６が、インク内の気泡や異物を除去するためのフィルタ２７を介して固定されている。
【００２０】
これらの各インク供給針２６は、図４に示すように、カートリッジケースの各インク供給路２４に連通する貫通路（請求項に記載の「第１の液体流路」に相当）２８をそれぞれ有すると共にカートリッジケース２１側の端部近傍にフランジ部２９を有する。なお、これらインク供給針２６の貫通路２８及びカートリッジケース２１のインク供給路２４はインクカートリッジと後述するヘッド本体とを繋ぐインク流路を構成するものである。
【００２１】
また、このフランジ部２９のカートリッジケース２１との接合面には、融着突起３０が設けられている。そして、各インク供給針２６は、フランジ部２９に設けられた融着突起３０を溶融させることにより、すなわち超音波融着により、カートリッジケース２１に固着されている。
【００２２】
本発明では、水平方向に対して傾斜した状態で記録ヘッド１１がインクジェット式記録装置１０に設けられているので、図５のインク供給針２６部分の拡大断面の模式図に示すように、フィルタ２７等も傾斜した状態となっている。
【００２３】
そして本発明では、カートリッジケース２１からフィルタ２７の方向に突出するリブ７１が、フィルタ２７に接触しないようにして、インク供給路２４のヘッド本体側の開口部であるインク供給口７０の周縁のカートリッジケース２１に設けられている。
【００２４】
図６（ａ）は、本実施形態のカートリッジケース２１をフィルタ２７面側から見た模式図であり、図面の上側が、フィルタ２７の傾斜方向上側になり、図面の下側が、フィルタ２７の傾斜方向下側になる。また、図６（ｂ）は、図６（ａ）のＡ−Ａ´断面図である。
【００２５】
図６（ａ）及び図６（ｂ）に示すように、本実施形態では、インク供給口７０を囲み、フィルタ２７とカートリッジケース２１との接合部のフィルタ２７の傾斜方向最上部であるカートリッジケース最上部（請求項に記載の「第２流路形成部材最上部」に相当）８０側が開口しているＵ字形状であるリブ７１が、該開口の先端がフィルタ２７とカートリッジケース２１の接合部まで到達しないように設けられている。ここで、フィルタ２７とカートリッジケース２１の接合部とは、インク供給路２４内のフィルタ２７とカートリッジケース２１が接している箇所を意味する。
【００２６】
ここで、図５に示すように、本実施形態においては、フィルタ２７が傾斜した状態となっているため、カートリッジケース最上部８０付近に浮力により浮上した気泡が溜まる。そしてこのカートリッジケース最上部８０付近はインクの流れが弱いため、気泡がこの領域に溜まってしまう。そこで、本実施形態においては、図６に示すようなリブ７１をカートリッジケース２１に設けることによって、インク供給口７０のカートリッジケース最上部８０の方向以外の周縁部がリブ７１で囲まれるため、図６（ａ）の矢印で示すように、気泡の溜まりやすいカートリッジケース最上部８０近傍を通過してからインク供給口７０に流れ込むインクの流れが生じる。これによりカートリッジケース最上部８０近傍に停滞した気泡がインク供給口７０に向かって流されて、カートリッジケース最上部８０近傍から気泡が除去できる。また、カートリッジケース最上部８０近傍を通過する流れが生じるので、カートリッジケース最上部８０近傍に新たに気泡が溜まることもない。したがって、気泡が液体流路に停滞せず、ヘッドの信頼性を向上した液体噴射装置を実現することができる。また、本実施形態では、リブ７１はフィルタ２７に接触しないように設けられているため、フィルタ２７とリブ７１が接触して、フィルタ２７が破損するという問題は生じない。
【００２７】
なお、カートリッジケース２１の下面側には、複数の圧電素子３４を有する圧電素子ユニット３５を保持すると共に、カートリッジケース２１とは反対側の端面に圧電素子３４の駆動によってノズル開口からインク滴を吐出するヘッド本体３６が固定されるヘッドケース３７を有し、これらカートリッジケース２１とヘッドケース３７との間には、シール部材３８及び回路基板３９が挟持されている。
【００２８】
シール部材３８は、流路形成部２５とヘッドケース３７に設けられる複数のインク導入路４０が開口する突出部４１との間に挟持されることにより、インク供給路２４とインク導入路４０との接続部分を密封してこの接続部分からのインクの漏れを防止している。回路基板３９は、圧電素子３４を駆動するための信号を供給するためのものであり、回路基板３９の一端部には、外部配線（図示なし）を接続するためのコネクタ４３が固定されている。また、回路基板３９には、圧電素子３４に接続されたＦＰＣ等の接続配線４４が挿通される挿通孔４５が設けられており、この挿通孔４５を介して回路基板３９と接続配線４４とが接続される。さらに、この挿通孔４５の両側には各インク導入路４０に対応して、各インク導入路４０が開口する突出部４１が係合する貫通孔４６が設けられている。
【００２９】
なお、カートリッジケース２１の一方の側面、すなわち、回路基板３９のコネクタ４３が配置される側の側面には、回路基板３９のコネクタ４３が露出される露出口４７を有し、この露出口４７を介して外部配線（図示なし）がコネクタ４３に接続されるようになっている。
【００３０】
また、回路基板３９及びシール部材３８を介してカートリッジケース２１の下面側に固定されるヘッドケース３７には、複数の圧電素子３４を有する圧電素子ユニット３５（３５Ａ，３５Ｂ）を収容して圧電素子３４を位置決め固定するための収容室４８が並設されている。例えば、本実施形態の記録ヘッド１１は、ブラックインクを吐出するための圧電素子ユニット３５Ａと、カラーインクを吐出するための圧電素子ユニット３５Ｂとを有するため、ヘッドケース３７には、これらの圧電素子ユニット３５Ａ，３５Ｂを収容する２つの収容室４８が並設されている。
【００３１】
なお、上述した記録ヘッド１１は、カートリッジケース２１の下面側に、シール部材３８、回路基板３９、ヘッドケース３７及びヘッド本体３６の順で積層され、その外側にヘッド本体３６のノズル開口を露出する窓部５０を有する枠体５１を填め込み、ネジ５２によってカートリッジケース２１に固定することで形成される（図２参照）。
【００３２】
また、本実施形態では、図６（ａ）及び図６（ｂ）に示すように、インク供給口７０がカートリッジケース２１の中央部に位置する場合について例示したが、インク供給口７０が様々な位置に設けられている記録ヘッドに適用できる。
【００３３】
なお、リブ７１がフィルタ２７の方向へ突出する高さに特に制限はなく、高さが高いほど、カートリッジケース最上部８０近傍を通らずに直接インク供給口７０に流れ込む流れを遮ることができカートリッジケース最上部８０近傍を通る流れを速くすることができる。このため、リブ７１の高さは高いほうが好ましいが、上述したようにフィルタ２７にリブ７１が接触するとフィルタ２７が破損する虞がある。
【００３４】
（実施形態２）
図７は、実施形態２に係るカートリッジケース２１Ａのインク供給口７０Ａの周縁部に設けられるリブ７１Ａの配置を示すフィルタ面側から見た模式図であり、図面の上側が、フィルタの傾斜方向上側になり、図面の下側が、フィルタの傾斜方向下側になる。なお、リブ７１Ａは実施形態１と同様に、フィルタの方向に突出するリブ７１Ａが、フィルタ２７に接触しないようにして、インク供給口７０Ａの周縁のカートリッジケース２１Ａに設けられている。
【００３５】
図７に示すように、インク供給口７０Ａは、フィルタとカートリッジケース２１Ａとの接合部近傍にある。そして、図示するように、インク供給口７０Ａのフィルタ傾斜方向下側から、フィルタとカートリッジケース２１Ａとの接合部からインク供給口７０Ａが設けられた側とは反対側のフィルタとカートリッジケース２１Ａとの接合部方向で且つカートリッジケース最上部８０方向に向かうリブ７１Ａが、インク供給口７０Ａとは反対側の先端がフィルタとカートリッジケース２１Ａの接合部まで到達しないように設けられている。なお、本明細書において、接合部方向や第２流路形成部材最上部方向という場合、厳密に一方向を示すものではなく、本発明の作用、即ち、カートリッジケース最上部８０近傍を通ってからインク供給口７０Ａに向かう流れを生じさせるという作用を奏する範囲であればよい。
【００３６】
このようなリブ７１Ａを設けることによって、図７の矢印で示すような流れがインク供給路２４Ａに生じる、すなわち、気泡の溜まりやすいカートリッジケース最上部８０近傍を通過してからインク供給口７０Ａに流れ込むインクの流れが生じるため、本実施形態においても、実施形態１と同様に、気泡が液体流路に停滞せず、ヘッドの信頼性を向上した液体噴射装置を実現することができるという効果を奏する。
【００３７】
なお、本実施形態では、図７に示すように、インク供給口７０Ａが設けられているフィルタとカートリッジケース２１Ａとの接合部近傍からほぼ直線上に図面上斜め上に向かうようにリブ７１Ａを設けたが、この形状に限定されず、例えば、図８に示すように、インク供給口７０Ｂのフィルタの傾斜方向下側から略水平方向に向かった後、カートリッジケース最上部８０方向へ向かうようにリブ７１Ｂを設けてもよい。図８で示されるリブ７１Ｂの場合、図８の矢印で示すような流れがインク供給路２４Ｂに生じ、インクが気泡の溜まりやすいカートリッジケース最上部８０近傍を通過してからインク供給口７０Ｂに流れ込むため、実施形態１と同様に、気泡が液体流路に停滞せず、ヘッドの信頼性を向上した液体噴射装置を実現することができるという効果を奏する。
【００３８】
（実施形態３）
図９は、実施形態３に係るカートリッジケース２１Ｃのインク供給口７０Ｃの周縁部に設けられるリブ７１Ｃの配置を示すフィルタ面側から見た模式図であり、図面の上側が、フィルタの傾斜方向上側になり、図面の下側が、フィルタの傾斜方向下側になる。なお、リブ７１Ｃは実施形態１と同様に、フィルタの方向に突出するリブ７１Ｃが、フィルタに接触しないようにして、インク供給口７０Ｃの周縁のカートリッジケース２１Ｃに設けられている。
【００３９】
図９に示すように、インク供給口７０Ｃは、フィルタとカートリッジケース２１Ｃとの接合部のフィルタの傾斜方向最下部であるカートリッジケース最下部８１近傍にあり、リブ７１Ｃはインク供給口７０Ｃを挟み、カートリッジケース最下部８１近傍からカートリッジケース最上部８０の方向に直線状に設けられ、インク供給口７０Ｃとは反対側の先端がフィルタとカートリッジケース２１Ｃの接合部まで到達しないように設けられている。
【００４０】
このようなリブ７１Ｃを設けることによって、図９の矢印で示すような流れがインク供給路２４Ｃに生じる、すなわち、気泡の溜まりやすいカートリッジケース最上部８０近傍を通過してからインク供給口７０Ｃに流れ込むインクの流れが生じるため、本実施形態においても、実施形態１と同様に、気泡が液体流路に停滞せず、ヘッドの信頼性を向上した液体噴射装置を実現することができるという効果を奏する。
【００４１】
（他の実施形態）
以上、本発明の実施形態に基づいて詳細に説明したが、勿論、本発明は上述した実施形態に限定されるものではない。実施形態１〜３では具体的なリブの形状を例示したが、リブの形状は、カートリッジケース最上部の近傍を通ってからインク供給口に向かうインク供給路の液体の流れが生じるようにすることができれば、本発明の効果を発揮できる。
【００４２】
なお、上述した実施形態においては、第１の液体流路を有する第１流路形成部材としてインク供給針を例示し、また第２の液体流路を有する第２流路形成部材として保持部材を例示したが、これら第１流路形成部材及び第２流路形成部材が、これら例示した部材に限定されるものではないことは言うまでもない。
【００４３】
また、上述した実施形態では、記録ヘッドを傾斜させてフィルタが傾斜した状態で使用する態様を示したが、本発明は、フィルタを流路形成部材に傾斜するように設けた記録ヘッドにも、勿論適用できる。
【００４４】
また、上述した実施形態においては、本発明の液体噴射ヘッドとしてインクジェット式記録ヘッドを例示したが、液体噴射ヘッドの基本的構成は上述したものに限定されるものではない。本発明は、広く液体噴射ヘッドの全般を対象としたものであり、例えば、プリンタ等の画像記録装置に用いられる各種の記録ヘッド、液晶ディスプレー等のカラーフィルタの製造に用いられる色材噴射ヘッド、有機ＥＬディスプレー、ＦＥＤ（電界放出ディスプレー）等の電極形成に用いられる電極材料噴射ヘッド、バイオｃｈｉｐ製造に用いられる生体有機物噴射ヘッド等にも適用することができる。
【図面の簡単な説明】
【００４５】
【図１】実施形態１に係る記録装置の概略を示す斜視図である。
【図２】実施形態１に係る記録ヘッドの分解斜視図である。
【図３】実施形態１に係る記録ヘッドの断面図である。
【図４】実施形態１に係る記録ヘッドのインク供給針部分の拡大断面図である。
【図５】実施形態１に係るインク供給針部分の拡大断面を示す模式図である。
【図６】実施形態１に係るカートリッジケースの模式図である。
【図７】実施形態２に係るカートリッジケースをフィルタ面から見た模式図である。
【図８】実施形態２に係るカートリッジケースをフィルタ面から見た模式図である。
【図９】実施形態３に係るカートリッジケースをフィルタ面から見た模式図である。
【符号の説明】
【００４６】
１０  インクジェット式記録装置、  １１  記録ヘッド、  ２１  カートリッジケース、  ２４  インク供給路、  ２６  インク供給針、  ２７  フィルタ、  ２８  貫通路、  ３６  ヘッド本体、  ７０  インク供給口、  ７１  リブ
【図１】
2008246798.tif 000003
【図２】
2008246798.tif 000004
【図３】
2008246798.tif 000005
【図４】
2008246798.tif 000006
【図５】
2008246798.tif 000007
【図６】
2008246798.tif 000008
【図７】
2008246798.tif 000009
【図８】
2008246798.tif 000010
【図９】
2008246798.tif 000011